(57)【特許請求の範囲】
【請求項１】
対向装置から送信される信号を処理する信号処理装置であって、
複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、
前記デコード／エンコード部でのデコードにより得られる命令に該当する処理を行う各信号種別で共通の信号処理部と
を備えることを特徴とする信号処理装置。
【請求項２】
対向装置から送信される信号を処理する信号処理装置であって、
信号のデコードおよび当該デコードにより得られる命令に該当する処理により得られた処理結果から当該信号へのエンコードを行うデコード／エンコード部と、
複数の命令種別の命令種別ごとに設けられ、当該命令種別に対応する命令に該当する処理を行う各信号種別で共通の信号処理部と
を備えることを特徴とする信号処理装置。
【請求項３】
対向装置から送信される信号を処理する信号処理装置であって、
複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、
前記デコードにより得られる命令の命令種別ごとに設けられ、当該命令種別に対応する命令に該当する処理を行う各信号種別で共通の信号処理部と
を備えることを特徴とする信号処理装置。
【請求項４】
対向装置から送信される信号を処理する信号処理装置であって、
複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、
前記デコードにより得られる命令の命令種別ごとに設けられ、当該命令種別に対応する命令に該当する処理を行う各信号種別で共通の信号処理部と、
同一の信号から複数の命令種別の命令が得られた場合、当該命令種別ごとに、当該命令種別に対応する前記信号処理部に対して当該命令種別に該当する命令を送信するとともに、当該各命令により得られた処理結果を結合し、前記同一の信号の信号種別に対応する前記デコード／エンコード部に送信する分配結合処理部
を備えることを特徴とする信号処理装置。
【請求項５】
請求項１ないし４のいずれかに記載の信号処理装置としてコンピュータを機能させるためのコンピュータプログラム。
【発明の詳細な説明】
【技術分野】
【０００１】
本発明は、信号処理装置に関するものである。
【背景技術】
【０００２】
従来において、公衆通信網には信号処理装置が配置され、信号処理装置は、対向装置から送信される信号を処理し、処理結果を対向装置に送信するようになっている。
【先行技術文献】
【特許文献】
【０００３】
【特許文献１】特開２００８−１１８５２０号公報
【発明の概要】
【発明が解決しようとする課題】
【０００４】
図５は、従来の信号処理装置による信号処理の一例を示す図である。  
対向装置２１は、例えば、命令種別「記録」に該当する命令１１１Ｓと命令種別「消去」に該当する命令１１２Ｓとをｄｉａｍｅｔｅｒ信号に対応する方法でエンコードし、エンコードされた信号Ｓ１を信号処理装置１Ａに送信する。対向装置２２は、例えば、命令種別「変換」に該当する命令１２１Ｓと命令種別「記録」に該当する命令１２２ＳとをＳＯＡＰ信号に対応する方法でエンコードし、エンコードされた信号Ｓ２を信号処理装置１Ａに送信する。対向装置２３は、例えば、命令種別「変換」に該当する命令１５１Ｓと命令種別「消去」に該当する命令１５２ＳとをＳＯＡＰ信号に対応する方法でエンコードし、エンコードされた信号Ｓ５を信号処理装置１Ａに送信する。
【０００５】
対向装置２１のために設けられたデコード／エンコード部１０１１は、信号Ｓ１のデコードを行い、デコードで得られた命令１１１Ｓ、１１２を、対向装置２１のために設けられた処理部１０３１に送信する。対向装置２２のために設けられたデコード／エンコード部１０１２は、信号Ｓ２のデコードを行い、デコードで得られた命令１２１Ｓ、１２２を、対向装置２２のために設けられた処理部１０３２に送信する。対向装置２５のために設けられたデコード／エンコード部１０１３は、信号Ｓ５のデコードを行い、デコードで得られた命令１５１Ｓ、１５２を、対向装置２５のために設けられた処理部１０３５に送信する。
【０００６】
処理部１０３１の分配結合処理部１０３１１は命令１１１Ｓを処理部１０３１の信号処理部１０３１２に、命令１１２Ｓを処理部１０３１の信号処理部１０３１４に送信する。処理部１０３２の分配結合処理部１０３２１は命令１２１Ｓを処理部１０３２の信号処理部１０３２３に、命令１２２Ｓを処理部１０３２の信号処理部１０３２２に送信する。処理部１０３５の分配結合処理部１０３５１は命令１５１Ｓを処理部１０３５の信号処理部１０３５３に、命令１５２Ｓを処理部１０３５の信号処理部１０３５４に送信する。
【０００７】
信号処理部１０３１２は、命令１１１Ｓに該当する処理（記録）を行い、その処理結果１１１Ｒを分配結合処理部１０３１１に送信する。信号処理部１０３１４は、命令１１２Ｓに該当する処理（消去）を行い、その処理結果１１２Ｒを分配結合処理部１０３１１に送信する。信号処理部１０３２２は、命令１２２Ｓに該当する処理（記録）を行い、その処理結果１２２Ｒを分配結合処理部１０３２１に送信する。
【０００８】
信号処理部１０３２３は、命令１２１Ｓに該当する処理（変換）を行い、その処理結果１２１Ｒを分配結合処理部１０３２１に送信する。信号処理部１０３５３は、命令１５１Ｓに該当する処理（変換）を行い、その処理結果１５１Ｒを分配結合処理部１０３５１に送信する。信号処理部１０３５４は、命令１５２Ｓに該当する処理（消去）を行い、その処理結果１５２Ｒを分配結合処理部１０３５１に送信する。
【０００９】
分配結合処理部１０３１１は、処理結果１１１Ｒ、１１２Ｒを結合し、デコード／エンコード部１０１１に送信する。分配結合処理部１０３２１は、処理結果１２１Ｒ、１２２Ｒを結合し、デコード／エンコード部１０１２に送信する。分配結合処理部１０３５１は、処理結果１５１Ｒ、１５２Ｒを結合し、デコード／エンコード部１０１５に送信する。
【００１０】
デコード／エンコード部１０１１は、処理結果１１１Ｒ、１１２Ｒをエンコードし、エンコードで得られた信号（応答信号）Ｓ１Ｒを対向装置２１に送信する。デコード／エンコード部１０１２は、処理結果１２１Ｒ、１２２Ｒをエンコードし、エンコードで得られた信号（応答信号）Ｓ２Ｒを対向装置２１に送信する。デコード／エンコード部１０１５は、処理結果１５１Ｒ、１５２Ｒをエンコードし、エンコードで得られた信号（応答信号）Ｓ５Ｒを対向装置２１に送信する。
【００１１】
対向装置２１は、信号Ｓ１Ｒをデコードし、こうして対向装置２１では、命令１１１Ｓ、１１２に対応する処理結果１１１Ｒ、１１２Ｒが得られる。対向装置２２は、信号Ｓ２Ｒをデコードし、こうして対向装置２２では、命令１２１Ｓ、１２２に対応する処理結果１２１Ｒ、１２２Ｒが得られる。対向装置２５は、信号Ｓ５Ｒをデコードし、こうして対向装置２５では、命令１５１Ｓ、１５２に対応する処理結果１５１Ｒ、１５２Ｒが得られる。
【００１２】
従来の信号処理装置は、上記のように、対向装置から送信される信号を処理し、処理結果を対向装置に送信することができるが、以下の不都合がある。
【００１３】
つまり、各デコード／エンコード部ならびに各信号処理部は、対向装置ごとに設けられているので、これらは対向装置が増えるごとに開発しなければならない。
【００１４】
例えば、新たに増える対向装置用のデコード／エンコード部が、既存のデコード／エンコード部でデコード／エンコードが可能な信号の信号種別と同じ信号種別の信号のデコード／エンコードを行うデコード／エンコード部であっても、その新たに増える対向装置用のデコード／エンコード部を開発する必要があった。
【００１５】
例えば、新たに増える対向装置用の信号処理部が、既存の信号処理部で処理する命令の命令種別と同じ命令種別の命令を処理する信号処理部であっても、その新たに増える対向装置用の信号処理部を開発する必要があった。
【００１６】
また、既存の信号処理部内に分配結合処理部があるにもかかわらず、新たに増える対向装置用の信号処理部のために分配結合処理部を開発する必要があった。
【００１７】
本発明は、上記の課題に鑑みてなされたものであり、第１の目的とするところは、デコード／エンコード部または信号処理部の数を削減でき、もって、その開発量を削減できる信号処理装置を提供することにある。
【００１８】
また、本発明の第２の目的とするところは、デコード／エンコード部および信号処理部の数を削減でき、もって、その開発量を削減できる信号処理装置を提供することにある。
【００１９】
また、本発明の第３の目的とするところは、デコード／エンコード部、信号処理部および分配結合処理部の数を削減でき、もって、その開発量を削減できる信号処理装置を提供することにある。
【課題を解決するための手段】
【００２０】
上記の課題を解決するために、第１の本発明は、対向装置から送信される信号を処理する信号処理装置であって、複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、前記デコード／エンコード部でのデコードにより得られる命令に該当する処理を行う各信号種別で共通の信号処理部とを備えることを特徴とする信号処理装置をもって解決手段とする。
【００２１】
第１の本発明によれば、デコード／エンコード部を信号種別ごとに設けたので、デコード／エンコード部の数を削減できる。
【００２２】
第２の本発明は、対向装置から送信される信号を処理する信号処理装置であって、信号のデコードおよび当該デコードにより得られる命令に該当する処理により得られた処理結果から当該信号へのエンコードを行うデコード／エンコード部と、複数の命令種別の命令種別ごとに設けられ、当該命令種別に対応する命令に該当する処理を行う各信号種別で共通の信号処理部とを備えることを特徴とする信号処理装置をもって解決手段とする。
【００２３】
第２の本発明によれば、信号処理部を命令種別ごとに設けたので、信号処理部の数を削減できる。
【００２４】
第３の本発明は、対向装置から送信される信号を処理する信号処理装置であって、複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、前記デコードにより得られる命令の命令種別ごとに設けられ、当該命令種別に対応する命令に該当する処理を行う各信号種別で共通の信号処理部とを備えることを特徴とする信号処理装置をもって解決手段とする。
【００２５】
第３の本発明によれば、デコード／エンコード部を信号種別ごとに設けたので、デコード／エンコード部の数を削減でき、信号処理部を命令種別ごとに設けたので、信号処理部の数を削減できる。
【００２６】
第４の本発明は、対向装置から送信される信号を処理する信号処理装置であって、複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部と、前記デコードにより得られる命令の命令種別ごとに設けられ、当該命令種別に対応する命令に該当する処理を行う各信号種別で共通の信号処理部と、同一の信号から複数の命令種別の命令が得られた場合、当該命令種別ごとに、当該命令種別に対応する前記信号処理部に対して当該命令種別に該当する命令を送信するとともに、当該各命令により得られた処理結果を結合し、前記同一の信号の信号種別に対応する前記デコード／エンコード部に送信する分配結合処理部を備えることを特徴とする信号処理装置をもって解決手段とする。
【００２７】
第４の本発明によれば、デコード／エンコード部を信号種別ごとに設けたので、デコード／エンコード部の数を削減でき、信号処理部を命令種別ごとに設けたので、信号処理部の数を削減でき、同一の信号から複数の命令種別の命令が得られた場合、命令種別ごとに、命令種別に対応する信号処理部に対して命令種別に該当する命令を送信するとともに、各命令により得られた処理結果を結合し、同一の信号の信号種別に対応するデコード／エンコード部に送信する分配結合処理部を設けたので、分配結合処理部の数を削減できる。
【発明の効果】
【００２８】
第１の本発明によれば、デコード／エンコード部を信号種別ごとに設けたので、デコード／エンコード部の数を削減できる。
【００２９】
第２の本発明によれば、信号処理部を命令種別ごとに設けたので、信号処理部の数を削減できる。
【００３０】
第３の本発明によれば、デコード／エンコード部を信号種別ごとに設けたので、デコード／エンコード部の数を削減でき、信号処理部を命令種別ごとに設けたので、信号処理部の数を削減できる。
【００３１】
第４の本発明によれば、デコード／エンコード部を信号種別ごとに設けたので、デコード／エンコード部の数を削減でき、信号処理部を命令種別ごとに設けたので、信号処理部の数を削減でき、同一の信号から複数の命令種別の命令が得られた場合、命令種別ごとに、命令種別に対応する信号処理部に対して命令種別に該当する命令を送信するとともに、各命令により得られた処理結果を結合し、同一の信号の信号種別に対応するデコード／エンコード部に送信する分配結合処理部を設けたので、分配結合処理部の数を削減できる。
【図面の簡単な説明】
【００３２】
【図１】本実施の形態に係る信号処理装置を含む通信システムの構成図である。
【図２】信号処理装置１の構成を示す機能ブロック図である。
【図３】本実施の形態の一実施例に係る信号処理の様子を示す図である。
【図４】従来の信号処理装置による信号処理の一例を示す図である。
【図５】従来の信号処理装置による信号処理の一例を示す図である。
【発明を実施するための形態】
【００３３】
以下、本発明の実施の形態について図面を参照して説明する。
【００３４】
図１は、本実施の形態に係る信号処理装置を含む通信システムの構成図である。  
信号処理装置１は、複数の対向装置２（２１〜２ｎ）に対し、通信回線を介して、接続される。各対向装置２は、処理を行わせるための命令をその対向装置に割り当てられた信号種別に応じた方法でエンコードし、エンコードされた信号を信号処理装置１に送信する。信号処理装置１は、信号をデコードし、デコードして得られる命令に該当する処理を行い、処理結果をエンコードし、エンコードされた信号（応答信号）を該当の対向装置２に送信する。対向装置２は、信号を処理結果にデコードする。こうして対向装置２では、命令に対応する処理結果が得られる。
【００３５】
また、信号処理装置１は、上記の信号処理を、複数の信号種別の信号に対して行えるようになっている。
【００３６】
図２は、信号処理装置１の構成を示す機能ブロック図である。  
信号処理装置１は、信号種別ごとに設けられ、合計で複数となるデコード／エンコード部１１と、分配結合処理部１２と、命令の種別（命令種別）ごとに設けられ、合計で複数となる信号処理部１３とを備える。
【００３７】
各デコード／エンコード部１１は、自身に割り当てられた信号種別の信号のデコードを行い、デコードで得られた命令を分配結合処理部１２に送信する。また、各デコード／エンコード部１１は、その命令に該当する処理により得られた処理結果が分配結合処理部１２から送信されるので、処理結果を受信し、当該信号種別に該当する信号（応答信号）へのエンコードを行う。
【００３８】
各信号処理部１３は、自身に割り当てられた命令種別に対応する命令が分配結合処理部１２から送信されるので、命令を受信し、その命令に該当する処理を行い、処理結果を分配結合処理部１２に送信する。
【００３９】
分配結合処理部１２は、同一の対向装置２から受信した同一の信号から同一の命令種別の命令が得られた場合、その命令種別に対応する信号処理部１３に対して命令を送信する。ここでは、分配結合処理部１２は、受信した信号の信号プロトコルを隠蔽して、命令を送信する。また、分配結合処理部１２は、命令により得られた処理結果が信号処理部１３から送信されるので、処理結果を受信し、前述の同一の信号の信号種別に対応するデコード／エンコード部１１に送信する。
【００４０】
また、分配結合処理部１２は、同一の対向装置２から受信した同一の信号から複数の命令種別の命令が得られた場合、命令種別ごとに、その命令種別に対応する信号処理部１３に対して命令種別に該当する命令を送信する。ここでも、分配結合処理部１２は、受信した信号の信号プロトコルを隠蔽して、命令を送信する。分配結合処理部１２は、各命令により得られた処理結果が該当の各信号処理部１３から送信されるので、これらの処理結果を受信するとともに結合し、前述の同一の信号の信号種別に対応するデコード／エンコード部１１に送信する。
【００４１】
（実施例）
図３は、本実施の形態の一実施例に係る信号処理の様子を示す図である。  
対向装置２１に割り当てられた信号種別は、ＮＧＮ（Ｎｅｘｔ  Ｇｅｎｅｒａｔｉｏｎ  Ｎｅｔｗｏｒｋ）などの公衆通信網などのｄｉａｍｅｔｅｒ信号であり、対向装置２２に割り当てられた信号種別は、ＳＯＡＰ（Ｓｉｍｐｌｅ  Ｏｂｊｅｃｔ  Ａｃｃｅｓｓ  Ｐｒｏｔｏｃｏｌ）信号であり、対向装置２５に割り当てられた信号種別は、旧来の電話網で用いるＩＳＵＰ（ＩＳＤＮ  ｕｓｅｒ  ｐａｒｔ）信号である。
【００４２】
例えば、図示しない対向装置２３、２４は、上記いずれかの信号種別を割り当てられており、よって、対向装置の数は、信号種別の数より多くなっている。
【００４３】
デコード／エンコード部１１１は、信号種別「ｄｉａｍｅｔｅｒ信号」の信号のデコードおよびエンコードを行うものである。デコード／エンコード部１１２は、信号種別「ＳＯＡＰ信号」の信号のデコードおよびエンコードを行うものである。デコード／エンコード部１１３は、信号種別「ＩＳＵＰ信号」の信号のデコードおよびエンコードを行うものである。すなわち、デコード／エンコード部の数は、対向装置の数より少なくなっている。
【００４４】
信号処理部１３１は、データを記録するという命令の命令種別（命令種別「記録」という）に該当する命令に対して処理つまり「記録」を行うものである。信号処理部１３２は、データを変換するという命令の命令種別（命令種別「変換」という）に該当する命令に対して処理つまり「変換」を行うものである。信号処理部１３３は、データを消去するという命令の命令種別（命令種別「消去」という）に該当する命令に対して処理つまり「消去」を行うものである。すなわち、信号処理部の数は、対向装置の数より少なくなっている。
【００４５】
対向装置２１は、例えば、命令種別「記録」に該当する命令１１１Ｓと命令種別「消去」に該当する命令１１２Ｓとをｄｉａｍｅｔｅｒ信号に対応する方法でエンコードし、エンコードされた信号Ｓ１を信号処理装置１に送信する。対向装置２２は、例えば、命令種別「変換」に該当する命令１２１Ｓと命令種別「記録」に該当する命令１２２ＳとをＳＯＡＰ信号に対応する方法でエンコードし、エンコードされた信号Ｓ２を信号処理装置１に送信する。対向装置２３は、例えば、命令種別「変換」に該当する命令１５１Ｓと命令種別「消去」に該当する命令１５２ＳとをＳＯＡＰ信号に対応する方法でエンコードし、エンコードされた信号Ｓ５を信号処理装置１に送信する。
【００４６】
デコード／エンコード部１１１は、信号Ｓ１のデコードを行い、デコードで得られた命令１１１Ｓ、１１２を分配結合処理部１２に送信する。デコード／エンコード部１１２は、信号Ｓ２のデコードを行い、デコードで得られた命令１２１Ｓ、１２２を分配結合処理部１２に送信する。デコード／エンコード部１１３は、信号Ｓ５のデコードを行い、デコードで得られた命令１５１Ｓ、１５２を分配結合処理部１２に送信する。
【００４７】
分配結合処理部１２は、信号プロトコルを隠蔽して、命令１１１Ｓ、１２２を信号処理部１３１に、命令１２１Ｓ、１５１を信号処理部１３２に、命令１１２Ｓ、１５２を信号処理部１３３に送信する。
【００４８】
信号処理部１３１は、命令１１１Ｓ、１２２に該当する処理（記録）を行い、それぞれの処理結果１１１Ｒ、１２２Ｒを分配結合処理部１２に送信する。信号処理部１３２は、命令１２１Ｓ、１５１に該当する処理（変換）を行い、それぞれの処理結果１２１Ｒ、１５１Ｒを分配結合処理部１２に送信する。信号処理部１３３は、命令１１２Ｓ、１５２に該当する処理（消去）を行い、それぞれの処理結果１１２Ｒ、１５２Ｒを分配結合処理部１２に送信する。
【００４９】
分配結合処理部１２は、処理結果１１１Ｒ、１１２Ｒを結合し、デコード／エンコード部１１１に送信する。分配結合処理部１２は、処理結果１２１Ｒ、１２２Ｒを結合し、デコード／エンコード部１１２に送信する。分配結合処理部１２は、処理結果１５１Ｒ、１５２Ｒを結合し、デコード／エンコード部１１３に送信する。
【００５０】
デコード／エンコード部１１１は、処理結果１１１Ｒ、１１２Ｒをエンコードし、エンコードで得られた信号（応答信号）Ｓ１Ｒを対向装置２１に送信する。デコード／エンコード部１１２は、処理結果１２１Ｒ、１２２Ｒをエンコードし、エンコードで得られた信号（応答信号）Ｓ２Ｒを対向装置２１に送信する。デコード／エンコード部１１３は、処理結果１５１Ｒ、１５２Ｒをエンコードし、エンコードで得られた信号（応答信号）Ｓ５Ｒを対向装置２１に送信する。
【００５１】
対向装置２１は、信号Ｓ１Ｒをデコードし、こうして対向装置２１では、命令１１１Ｓ、１１２に対応する処理結果１１１Ｒ、１１２Ｒが得られる。対向装置２２は、信号Ｓ２Ｒをデコードし、こうして対向装置２２では、命令１２１Ｓ、１２２に対応する処理結果１２１Ｒ、１２２Ｒが得られる。対向装置２５は、信号Ｓ５Ｒをデコードし、こうして対向装置２５では、命令１５１Ｓ、１５２に対応する処理結果１５１Ｒ、１５２Ｒが得られる。
【００５２】
したがって、本実施の形態に係る信号処理装置１は、対向装置（２、２１〜）から送信される信号を処理する信号処理装置であって、複数の信号種別の信号種別ごとに設けられ、当該信号種別に該当する信号のデコードおよび当該デコードにより得られる命令に該当する処理により得られた処理結果から当該信号種別に該当する信号へのエンコードを行うデコード／エンコード部（１１、１１１〜）と、デコードにより得られる命令の命令種別ごとに設けられ、当該命令種別に対応する命令に該当する処理を行う信号処理部（１３、１３１〜）と、同一の信号から複数の命令種別の命令が得られた場合、当該命令種別ごとに、当該命令種別に対応する信号処理部に対して当該命令種別に該当する命令を送信するとともに、当該各命令により得られた処理結果を結合し、前記同一の信号の信号種別に対応するデコード／エンコード部に送信する分配結合処理部（１２）を備える。
【００５３】
信号処理装置１によれば、デコード／エンコード部を信号種別ごとに設けたので、デコード／エンコード部の数を削減でき、信号処理部を命令種別ごとに設けたので、信号処理部の数を削減でき、同一の信号から複数の命令種別の命令が得られた場合、命令種別ごとに、命令種別に対応する信号処理部に対して命令種別に該当する命令を送信するとともに、各命令により得られた処理結果を結合し、同一の信号の信号種別に対応するデコード／エンコード部に送信する分配結合処理部を設けたので、分配結合処理部の数を削減できる。
【００５４】
なお、この実施例において信号種別、命令種別は一例であり、その他の信号種別、その他の命令種別を用いてもよい。また、信号種別数、命令種別の数は、この実施例における数に限られるものではない。
【００５５】
図４は、図５に示した従来の信号処理装置と本実施の形態に係る信号処理装置とでデコード／エンコード部、信号処理部および分配結合処理部の数を比較した結果を示す図である。
【００５６】
従来のデコード／エンコード部の数Ｎは、対向装置の数と同数であり、本実施の形態のデコード／エンコード部の数ｎは、信号種別の数と同数であり、信号種別の数は対向装置の数以下なので、本実施の形態のデコード／エンコード部の数ｎは、従来のデコード／エンコード部の数Ｎ以下とすることができる。
【００５７】
また、従来の信号処理部の数は、対向装置の数Ｎに命令種別の数Ｍを乗じた数と同数であり、本実施の形態のデコード／エンコード部の数は、命令種別の数Ｍの数と同数であるので、本実施の形態のデコード／エンコード部の数Ｍは、従来の信号処理部の数（Ｎ×Ｍ）以下とすることができる。
【００５８】
また、従来の分配結合処理部の数Ｎは、対向装置の数と同数であり、本実施の形態の分配結合処理部の数は１なので、本実施の形態の分配結合処理部の数は、対向装置の数Ｎ以下とすることができる。
【００５９】
なお、本実施の形態では、信号処理部を命令種別ごとに設け、分配結合処理部を１つだけ設けたが、信号処理部および分配結合処理部については、図５に示したように、対向装置ごとに設け、信号処理部および分配結合処理部については、図５の説明のように動作させてもよい。
【００６０】
また、本実施の形態では、デコード／エンコード部を信号種別ごとに設けたが、デコード／エンコード部については、図５に示したように、対向装置ごとに設け、デコード／エンコード部については、図５の説明のように動作させてもよい。
【００６１】
また、信号処理装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６２】
１  信号処理装置
２、２１〜  対向装置
１１、１１１〜  デコード／エンコード部
１２…分配結合処理部
１３、１３１〜  信号処理部
【図１】
0005559825.tif 000002
【図２】
0005559825.tif 000003
【図３】
0005559825.tif 000004
【図４】
0005559825.tif 000005
【図５】
0005559825.tif 000006